(57)【要約】【課題】瞬間式の温水供給を行い、省エネで、後沸きなどによる洗浄水の高温化などのない快適性の高い温水洗浄便座を実現する。【解決手段】熱効率の良いシーズヒータ５の外周近傍に水の流路６を設けた温水供給手段１３と、高温水を検知する出湯サーミスタ１９と出湯サーミスタ１９の信号によって、切換え弁１４（流路切替手段）を動作させることによって補助流路１６に高温水を導くことによって、高温の後沸き水が使用者に供給されるのを防止するので、快適な局部洗浄が可能となる。【選択図】図１
2008088749.tif 000002
【特許請求の範囲】
【請求項１】
局部を洗浄する洗浄水を噴出する局部洗浄ノズルと、前記局部洗浄ノズルより噴出する局部洗浄用温水を供給する瞬間式の温水供給手段と、前記温水供給手段から前記局部洗浄ノズルへ高温の温水が供給されるのを防止する高温水供給防止手段とを備え、前記高温水供給防止手段は温水供給手段の下流に、流路切替手段と、出湯温度を検知する出湯サーミスタとを備え、前記出湯サーミスタの検出温度に基づいて、前記流路切替手段により流路を切り替えて冷却用バイパス流路へ流路を切り替えるようにした温水洗浄便座。
【請求項２】
高温水供給防止手段は冷却用バイパス流路を有する請求項１記載の温水洗浄便座。
【請求項３】
流路切換手段は、出湯サーミスタの信号を検出し、出湯温度が所定の温度より高いことを検出した時は、局部洗浄ノズルからの出湯を停止する請求項２記載の温水洗浄便座。
【請求項４】
流路切換手段は、出湯サーミスタからの信号を検出し、出湯温度が所定の温度より高いことを検出した時は、洗浄用温水を便器に放出する請求項２または３に項記載の温水洗浄便座。
【請求項５】
流路切換手段は、出湯サーミスタの信号を検出し、出湯温度が所定の温度範囲にある時は、冷却用バイパス流路へ流路を接続する請求項２から４のいずれか１項記載の温水洗浄便座。
【請求項６】
冷却用バイパス流路は金属からなる冷却フィンを有した請求項１から５のいずれか１項記載の温水洗浄便座。
【請求項７】
冷却用バイパス流路の冷却フィンに接して温水供給装置への入水側の流路を設置した請求項６記載の温水洗浄便座。
【発明の詳細な説明】
【技術分野】
【０００１】
本発明は、洗浄水流路に加熱部を設置し、貯湯することなく、局部に洗浄用温水を供給する方式の温水洗浄便座に関するものである。
【背景技術】
【０００２】
従来、この種の温水供給装置は、貯湯による待機電力の無駄を省き、省エネルギーを実現するために、洗浄が必要な時だけ、流路に設けたセラミックヒータで、湯温を制御しながら暖め、供給するものであった。水からすぐに湯にする必要があるため、セラミックヒータと熱交換をする時間を稼げるように、複雑な流路を作っていた。そのため、屈曲部で流速が変わり、ごみや水垢がたまって目詰まりを起こしたり、流路が狭くなって、熱交換性能が低下したりする懸念があった。このような懸念を払拭するために図９に示すようにシーズヒータ１０１をまっすぐな構成とし、シーズヒータ１０１の周囲をめぐるコイル状の水路１０２を作り、水が入水口１０３から入って出湯口１０４にいたる間にシーズヒータ１０１から発生する熱と効率良く熱交換を行い、かつ狭い流路を高速で水が移動することによって水垢などを流し去り、流路の目詰まりを防ぐ構成が提案されている（例えば、特許文献１参照）。
【特許文献１】特開２００５-１７１５４０号公報
【発明の開示】
【発明が解決しようとする課題】
【０００３】
しかしながら上記構成においては、流路を短く、流速を早くするため、短時間で熱交換をする必要があり、ヒータ電力を大きくしている。そのため、洗浄湯温に立ち上げることができる反面、あまりにも熱交換効率が良すぎて、出湯を停止した時、流路内に溜まった水がヒータの余熱で沸き立ち（以下、後沸きという）、短時間に連続して肛門洗浄を行おうとすると、流路内部に溜まっていた所定の温度より高温の湯が供給され、温水洗浄の使用者を驚かせる可能性があった。また、逆に流路内部の湯温を検知して自然に温度が下がるまで待つと、洗浄の指示を行ってもすぐに洗浄が行われず、使用者に苛立ちを与えたり、故障かとの懸念を与える可能性もあった。
【０００４】
本発明は、前記従来の課題を解決するもので、使うときだけにヒータを通電してエネルギー消費の効率化を実現し、かつ出湯温度が一定値より高い時は、冷却用の流路を介して洗浄用の温水を供給する。このことによって、効率の良い洗浄用湯温の供給しつつ、後沸きによって洗浄者を驚かせることを防ぐことを目的としたものである。
【課題を解決するための手段】
【０００５】
前記従来の課題を解決するため、本発明の温水洗浄便座は、局部を洗浄する洗浄水を噴出する局部洗浄ノズルと、前記局部洗浄ノズルより噴出する局部洗浄用温水を供給する瞬間式の温水供給手段と、前記温水供給手段から前記局部洗浄ノズルへ高温の温水が供給されるのを防止する高温水供給防止手段とを備え、前記高温水供給防止手段は温水供給手段の下流に、流路切替手段と、出湯温度を検知する出湯サーミスタとを備え、前記出湯サーミスタの検出温度に基づいて、前記流路切替手段により流路を切り替えて冷却用バイパス通路へ流路を切り替えるようにしたものである。これにより、出湯サーミスタにより所定の温度が検知されると、流路を切り替えて、局部洗浄ノズルからは適温の温水のみが噴出するようにして、快適な局部洗浄が可能となる。
【発明の効果】
【０００６】
これによって、使うときだけに加熱を行うことで省エネルギー化と、かつ出湯温度が一
定値より高い時は、冷却用の流路を介して洗浄用の温水を供給し、効率の良い洗浄用湯温の供給を行い、かつ後沸きによって洗浄者を驚かせることを防ぐ安全性と利便性の高い温水洗浄便座を提供することが可能となる。
【発明を実施するための最良の形態】
【０００７】
第１の発明は、局部を洗浄する洗浄水を噴出する局部洗浄ノズルと、前記局部洗浄ノズルより噴出する局部洗浄用温水を供給する瞬間式の温水供給手段と、前記温水供給手段から前記局部洗浄ノズルへ高温の温水が供給されるのを防止する高温水供給防止手段とを備え、前記高温水供給防止手段は温水供給手段の下流に、流路切替手段と、出湯温度を検知する出湯サーミスタとを備え、前記出湯サーミスタの検出温度に基づいて、前記流路切替手段により流路を切り替えて冷却用バイパス通路へ流路を切り替えるようにしたものである。
【０００８】
これによって、使うときだけに加熱を行うことで省エネルギー化し、出湯サーミスタにより所定の温度が検知されると、流路を切り替えて、局部洗浄ノズルからは適温の温水のみが噴出するようにして、快適な局部洗浄が可能となるので、後沸きによって洗浄者を驚かせることを防ぎ快適性と利便性の高い温水洗浄便座を提供することが可能となる。
【０００９】
第２の発明は、特に第１の発明において、高温水供給防止手段は冷却用バイパス流路を有するものである。これにより出湯サーミスタの検出温度に基づいて、路切替手段により流路を切り替えて冷却用バイパス通路へ流路を切り替えるようにしたものである。これによって、出湯サーミスタの検出温度によって、流路を切替えることで、効率よく適温の温水を局部洗浄ノズルから噴出することができる。
【００１０】
第３の発明は、特に第２の発明において、流路切換手段は、出湯サーミスタの信号を検出し、出湯温度が所定の温度より高いことを検出した時は、局部洗浄ノズルからの出湯を停止するものである。これにより、高温水が局部洗浄ノズルから噴出せずに、適温のみ局部洗浄水として使うことが出来る。
【００１１】
第４の発明は、特に第２または３の発明において、流路切換手段は、出湯サーミスタからの信号を検出し、出湯温度が所定の温度より高いことを検出した時は、洗浄用温水を便器に放出するものである。これにより、高温水が局部洗浄ノズルから噴出せずに、安全となる。そして、所定の温度以上の高温水は便器へ放出し、後から流れてくる適温水は噴出することができるので、効率よく局部洗浄できる。
【００１２】
第５の発明は、特に第２から第４の発明において、流路切換手段は、出湯サーミスタの信号を検出し、出湯温度が所定の温度範囲にある時は、冷却用バイパス流路へ流路を接続するものである。これによって、後沸きなどで湯温が高くなった時は、冷却用バイパス流路に出湯流路を切換え、冷却用バイパス流路を流れている間に流路からの放熱によって湯温を下げるものである。このように後沸きの湯量を放出するごく短時間だけ流路を切換えることで使用者が高温の洗浄水に驚くことを防ぐことができ、温水が無駄になることなく使用することができる。所定の温度帯というのは、冷却用バイパス流路にて放熱して冷却可能でかつ冷却用バイパス流路から本流路へ戻ったときに冷却されすぎることなく適温となる温度範囲である。
【００１３】
第６の発明は、特に第１から第５の発明において、冷却用バイパス流路は金属からなる冷却フィンを有したものである。これにより、金属フィンからの放熱により、冷却用バイパス通路での冷却が効率よく行われる。  
【００１４】
第７の発明は、特に第６の発明において、冷却用バイパス流路の冷却フィンに接して温
水供給装置への入水側の流路を設置したものである。冷却用バイパス流路の冷却フィンに接して入水側の流路を設置したもので高温水冷却の効果をフィンを冷水で冷やすことにより一層安全性を高めるものである。
【００１５】
以下、本発明の実施の形態について、図面を参照しながら説明する。なお、この実施の形態によって本発明が限定されるものではない。
【００１６】
（実施の形態１）
図１は本発明の第１の実施の形態における温水洗浄便座の構成図である。
【００１７】
図１において、便器１の上に設置された便座２に使用者３が座っている。便座２と一体になった便座本体４の内部には、局部洗浄ノズル４ａ、局部洗浄ノズル４ａへ温水を供給するための温水供給手段１３が内臓されている。シーズヒータ５の周囲をコイル状に巡る流路６とシーズヒータ５への供給電力をＡＣ１００Ｖがゼロボルトの点に同期して制御するトライアック７、トライアック７のドライバー８、ドライバー８へゼロクロス検出回路９からの信号を入力に同期して信号を供給するマイコン（便座制御手段）１０、流路６への入水口１１から流路６を経由して出湯口１２にいたる温水供給手段１３と、切換え弁１４と温水流路１５と補助流路１６からなる高温水供給防止手段１７が設置されている。温水流路１５は使用者３の肛門の洗浄用に、補助流路１６は高温水の排水用に使用するように流路が構成されている。
【００１８】
また入水口１１の水温を検知する入水サーミスタ１８、出湯口１２には出湯温度を検知する出湯サーミスタ１９が設置されており、その検知信号はマイコン（便座制御手段）１０に入力される。
【００１９】
上記構成において入水口１１から入った水は流路６を流れる間にシーズヒータ５によって加熱され、出湯口１２から出て切換え弁１４を通り、温水流路１５を経て使用者３の肛門洗浄に使用される。肛門洗浄が停止されると、シーズヒータ５への通電も停止されるが、流路６内部の水はシーズヒータ５の余熱により後沸きし高温になる。この状態を出湯サーミスタ１９が検出すると、切換え弁１４が流路を切換え、高温の湯は補助流路１６側に排出される。このことによって高温水が使用者３に供給することが防止される。
【００２０】
ここでシーズヒータ５の加熱は、入水サーミスタ１８と出湯サーミスタ１９の水温検知信号をマイコン１０に入力し、マイコン１０はその情報に従って、トライアック７の導通角を制御することによってなされる。即ち水温が高すぎると判断した時は、導通角を絞り、低いと判断した時は導通角を大きくする。そのことによって流路６を流れる水を洗浄に適した湯温に制御することを行っている。出湯サーミスタ１９が高温であると判断したら、シーズヒータ５に通電しないことは言うまでもない。
【００２１】
（実施の形態２）
図２は本発明の第２の実施の形態における温水洗浄便座の構成図である。
【００２２】
図２において切換え弁１４の後には温水流路１５とともに冷却用バイパス流路２０が設置されている。高温の温水は切換え弁１４で冷却用バイパス流路２０側に流れるように制御される。冷却用バイパス流路２０を流れる間に高温水は冷やされ、適温となって温水流路１５の戻される。
【００２３】
このように冷却用バイパス流路２０を設けることにより湯を無駄に捨てることなく省資源効果を図ることができる。
【００２４】
（実施の形態３）
図３は本発明の第３の実施の形態における温水洗浄便座の構成図である。
【００２５】
図３において金属で構成された冷却用バイパス流路２０の外壁には冷却フィン２１が設置されている。冷却フィン２１を設置することで、高温の湯の冷却効果が高まり、より安全に洗浄水としての利用が図れる。
【００２６】
（実施の形態４）
図４は本発明の第４の実施の形態における流路切換手段の構成図である。
【００２７】
パルスモータ２２の回転子２３の軸２４に取り付けられた閉子２５は出湯口１２の湯を温水流路１５と冷却用バイパス流路２０に振り分けるもので、マイコン１０の端子からコイル２６の端子Ｘ、Ｘ−、Ｙ、Ｙ−に所定の電圧パルスを与えることにより、閉子２５の位置を決めるものである。図５の（Ａ）はハルスを与える順番を買えることにより、時計回転、半時計回転を制御することができる。
【００２８】
図５はパルスモータ２２を制御するマイコン１０の制御信号のタイムチャートで、（Ａ）は時計回転を与えるパルス列を表わし、（Ｂ）は半時計回転を与えるパルス列を表わす。出湯サーミスタ１９からの湯温信号が高温であることをマイコン１０に伝えられたら、（Ｂ）のパルス列が出力され、出湯口１２と冷却用バイパス流路２０へとつながる流路が形成され、高温の湯が洗浄に使われるのを防ぐことができる。
【００２９】
（実施の形態５）
図６は本発明の第５の実施の形態における流路切換手段の構成図である。
【００３０】
出湯サーミスタ１９は高湯温を検知した時、流路６の入り口に設置された閉子弁２７が閉じて流路６への水の供給を停止するものであり、シーズヒータ５への電力の供給停止とともに最終安全を確保するためのものである。閉子弁２７の構成は、実施の形態４で述べたようにパルスモータ２８で駆動される構成である。
【００３１】
（実施の形態６）
図７は本発明の第６の実施の形態における流路切換手段の構成図である。補助流路１６は肛門の洗浄には使われず、便器１の水溜め１−１に流される。従って高温の洗浄水で使用者３を驚かせることはない。
【００３２】
（実施の形態７）
図８は本発明の第７の実施の形態における流路切換手段の構成図である。冷却用バイパス流路２０に設置された冷却フィン２１に近接して水路２９を設け冷却フィン２１を水冷する。これにより冷却用バイパス流路２０を流れる高温の湯の冷却効果が一層高まり安全性が確保される。
【００３３】
このように本発明によれば効率の良い温水供給手段と快適性の高い高温水供給防止手段を合わせ持つ省エネ、安全温水洗浄便座を提供することが可能となる。
【産業上の利用可能性】
【００３４】
以上のように、本発明にかかる温水洗浄便座は、安定した湯温を供給する装置と位置付けることができるので、給湯器全般に応用することが可能である。
【図面の簡単な説明】
【００３５】
【図１】本発明第１の実施の形態における温水洗浄便座の構成図
【図２】本発明第２の実施の形態における温水洗浄便座の構成図
【図３】本発明第３の実施の形態における温水洗浄便座の構成図
【図４】本発明第４の実施の形態における流路切換手段の構成図
【図５】本発明第４の実施の形態におけるパルスモータの制御信号のタイムチャート
【図６】本発明第５の実施の形態における流路切換手段の構成図
【図７】本発明第６の実施の形態における流路切換手段の構成図
【図８】本発明第７の実施の形態における流路切換手段の構成図
【図９】従来の温水洗浄便座用の温水供給装置の断面図
【符号の説明】
【００３６】
１  便器
２  便座
４  便座本体
５  シーズヒータ
６  流路
７  トライアック
１０  マイコン（便座制御手段）
１３  温水供給手段
１４  切換え弁（流路切替手段）
１５  温水流路
１６  補助流路
１７  高温水供給防止手段
１８  入水サーミスタ
１９  出湯サーミスタ
２０  冷却用バイパス流路
２１  冷却フィン
２２、２８  パルスモータ
２５  閉子
２７  閉子弁
２９  水路
【図１】
2008088749.tif 000003
【図２】
2008088749.tif 000004
【図３】
2008088749.tif 000005
【図４】
2008088749.tif 000006
【図５】
2008088749.tif 000007
【図６】
2008088749.tif 000008
【図７】
2008088749.tif 000009
【図８】
2008088749.tif 000010
【図９】
2008088749.tif 000011